(57)【要約】【課題】清掃作業時に開口部からの人や物の落下を防ぎ、かつ、下水管路内を高圧洗浄する際に開口部から汚水飛沫が飛び出さず、しかも給水管の清掃もできる仮蓋体の提供。【解決手段】下水管路に設けられた開口部への施蓋を自在に形成された蓋本体１２の適宜位置には、給水管の挿通が自在な挿通孔１３を設けるとともに、該挿通孔１３の内周面１４には、挿通された給水管の外周面への摺接を自在に植毛したブラシ部２５を配設した。挿通孔１３は、ガイド溝孔２３と連通しており、該ガイド溝孔２３にも給水管の外周面への摺接が自在なブラシ部２５を配設した。【選択図】図１
2006045963.tif 000002
【特許請求の範囲】
【請求項１】
下水管路に設けられた開口部への施蓋を自在に形成された蓋本体の適宜位置には、給水管の挿通が自在な挿通孔を設けるとともに、該挿通孔の内周面には、挿通された前記給水管の外周面への摺接を自在に植毛したブラシ部を配設したことを特徴とする下水管路に設けられた開口部のための仮蓋体。
【請求項２】
前記挿通孔は、その内側面に前記給水管の外周面への摺接を自在に植毛されたブラシ部を備えて前記蓋本体の周端面側から連続形成されたガイド溝孔と連通させた請求項１に記載の下水管路に設けられた開口部のための仮蓋体。
【請求項３】
前記開口部は、埋設管きょが備えるマンホールまたはＵ字溝が備える汚水ますである請求項１または２に記載の下水管路に設けられた開口部のための仮蓋体。
【請求項４】
前記蓋本体は、透明な強化プラスチックにより形成された請求項１ないし３のいずれかに記載の下水管路に設けられた開口部のための仮蓋体。
【請求項５】
前記蓋本体には、把手と複数個の通気孔とを設けた請求項１ないし４のいずれかに記載の下水管路に設けられた開口部のための仮蓋体。
【発明の詳細な説明】
【技術分野】
【０００１】
本発明は、下水管路内の清掃など、必要な作業を行う際の作業口などとして用いるために下水管路の所定位置に設けられている開口部をその作業中に仮に覆っておくことができる下水管路に設けられた開口部のための仮蓋体に関する技術である。
【背景技術】
【０００２】
下水管路は、土中に埋設された下水管や取付け管のほか、非埋設管であるＵ字溝を含む各種の管きょにより形成されるものであり、その適宜位置には、作業口として用いられるマンホールや汚水ますなどの開口部が形成されている。また、通常、前記開口部は、安全性確保の観点から開蓋困難な蓋体で覆われている。
【０００３】
ところで、下水管路の清掃などのような必要な作業を行う際には、蓋体が開口部から取り外される結果、該開口部内に人や物が落下しないようにその周辺に警備員を配置したり、安全囲いを設置しておく必要があった。
【０００４】
しかし、下水管路の開口部がマンホールである場合には、該マンホールが路面に設けられていることが多いことから、警備員を配置したり安全囲いを設置すると車や人の交通の妨げになる問題があった。
【０００５】
このため、従来より、作業中にマンホールの開口部を覆うものとしては、下記特許文献１に開示されているようなマンホール仮蓋が提案されており、これにより作業中に人や物がマンホール内に落下したり、作業者が下水管路内で酸欠状態となる事故を防いで安全性を高めることができることになる。
【特許文献１】特開２００３−１０５７８９号公報
【発明の開示】
【発明が解決しようとする課題】
【０００６】
しかし、特許文献１に開示されている構造を備えたマンホール仮蓋による場合には、下水管路内を清掃するための給水管をその施蓋時に下水管路内へと送り込むことができないため、やむなく開蓋状態のもとで清掃作業を行わなければならず、従前と同様に安全性確保の観点からは問題を残すものであった。
【０００７】
また、開蓋状態のもとで清掃作業を行う場合には、高圧で噴射される洗浄水が汚水飛沫となって開口部から飛び出し、通行人等に対し迷惑をかける不都合もあった。
【０００８】
本発明は、従来技術にみられた上記課題に鑑み、清掃作業中の下水管路内への人や物の落下を防ぐと同時に、下水管路内を高圧洗浄する際に開口部から汚水飛沫が飛び出して周囲を汚染することのないようにした下水管路に設けられた開口部のための仮蓋体を提供することを目的とする。
【課題を解決するための手段】
【０００９】
本発明は、上記目的を達成すべくなされれたものであり、下水管路に設けられた開口部への施蓋を自在に形成された蓋本体の適宜位置には、給水管の挿通が自在な挿通孔を設けるとともに、該挿通孔の内周面には、挿通された前記給水管の外周面への摺接を自在に植毛したブラシ部を配設したことを最も主要な特徴とする。
【００１０】
この場合、前記挿通孔は、その内側面に前記給水管の外周面への摺接を自在に植毛されたブラシ部を備えて前記蓋本体の周端面側から連続形成されたガイド溝孔と連通させるのが好ましい。
【００１１】
また、前記開口部は、埋設管きょが備えるマンホールまたはＵ字溝が備える汚水ますとし、前記蓋本体は、透明な強化プラスチックにより形成するのが望ましく、さらに、前記蓋本体には、把手と複数個の通気孔とを設けておくこともできる。
【発明の効果】
【００１２】
本発明のうち請求項１に係る発明によれば、下水管路に設けられた開口部への施蓋を自在に形成された蓋本体には、ブラシ部を備える挿通孔が設けられているので、その施蓋時に該挿通孔を介して給水管を下水管路内に送り込んで洗浄水を高圧噴射することにより、清掃作業中に人や物が開口部から落下したり、汚水飛沫が開口部から飛び出して通行人に迷惑をかけることなどをなくして安全裡に清掃作業を遂行することができる。しかも、清掃作業を終えた後は、挿通孔を介して給水管をブラシ部にて汚れを落としながら引き出すことにより、容易にこれを回収することができる。
【００１３】
また、請求項２に係る発明によれば、ブラシ部付きのガイド溝孔を前記挿通孔と連通させてあるので、作業前に給水管を開口部内に配置しても、ガイド溝孔を介して事後的に給水管を挿通孔へと導入することができるほか、清掃を終えた後の給水管を回収する際により確実に汚れを落とすことができる。
【００１４】
さらに、請求項３に係る発明によれば、前記開口部は、埋設管きょが備えるマンホールまたはＵ字溝が備える汚水ますとすることで、下水管路の個別状況への対応力を高めて清掃作業を遂行することができる。
【００１５】
さらにまた、請求項４に係る発明によれば、蓋本体を透明な強化プラスチックで形成してあるので、下水管路の内部状況を目視確認しながら円滑に清掃作業を遂行することができる。しかも、請求項５に係る発明によれば、蓋本体が把手と複数個の通気口とを備えて形成されているので、下水管路内の換気を確実に行うことができるほか、清掃作業を終えた後の仮蓋体の撤去も容易に行うことができる。
【発明を実施するための最良の形態】
【００１６】
図１は、本発明の一例を示す全体斜視図であり、図２は、本発明の他例を示す全体斜視図である。
【００１７】
このうち、図１に示す例は、埋設管きょである下水管路に設けられているマンホールを開口部とする場合に適用される仮蓋体１１を示すものであり、マンホールへの施蓋を自在に形成された透明な円形強化プラスチックからなる蓋本体１２の略中心位置には、図示しない給水管の挿通が自在な挿通孔１３が形成されており、該挿通孔１３は、蓋本体１２の周端面１５側から連続形成されたガイド溝孔２３と連通している。
【００１８】
しかも、挿通孔１３の内周面１４には、ブラシ部１７が、ガイド溝孔２３の内側面２４には、ブラシ部２５がそれぞれ形成されている。
【００１９】
この場合、ブラシ部１７は、挿通孔１３の内周面１４に沿わせて配設された合成樹脂材などからなる基台部１８と、該基台部１８の表出面側から適宜長さで直立させた比較的剛性に富む素材からなる多数本の植毛部１９とで形成されている。
【００２０】
しかも、蓋本体１２が備える挿通孔１３は、使用される給水管の外径よりも大径な適宜の内径が付与されて形成されており、該挿通孔１３に配設されるブラシ部１７は、給水管を挿通させる際にその外周面に摺接する長さの植毛部１９を備えて形成されている。
【００２１】
また、ブラシ部２５は、ガイド溝孔２３にあって対向する位置関係にある各内側面２４に沿わせて各別に配設された合成樹脂材などからなる基台部２６と、該基台部２６の表出面側から適宜長さで直立させた比較的剛性に富む素材からなる多数本の植毛部２７とで形成されている。
【００２２】
この場合、蓋本体１２が備えるガイド溝孔２３は、その溝孔幅が給水管の外径寸法よりもやや長寸となるようにして形成されており、該ガイド溝孔２３に配設される各ブラシ部２５は、給水管を挿通させる際にその外周面に摺接する長さの植毛部２７を備えて形成されている。
【００２３】
また、蓋本体１２は、作業者が両手で把持することができる一対の把手２８，２８と、その施蓋時の換気用として用いられる複数個の通気孔２９とを設けて形成されている。
【００２４】
一方、図２に示す例は、Ｕ字溝が備える汚水ますを開口部とする場合に適用される仮蓋体１１を示すものであり、汚水ますへの施蓋を自在に形成された透明な方形強化プラスチックからなる蓋本体３２の略中心位置には、図示しない給水管の挿通が自在な挿通孔３３が形成されており、該挿通孔３３は、蓋本体３２の周端面３５側から連続形成されたガイド溝孔４３と連通している。なお、図中の符号４８は、把手を示す。
【００２５】
しかも、挿通孔３３の内周面３４には、ブラシ部３７が、ガイド溝孔４３の内側面４４には、ブラシ部４５がそれぞれ形成されている。
【００２６】
この場合、ブラシ部３７は、挿通孔３３の内周面３４に沿わせて配設された合成樹脂材などからなる基台部３８と、該基台部３８の表出面側から適宜長さで直立させた比較的剛性に富む素材からなる多数本の植毛部３９とで形成されている。
【００２７】
しかも、蓋本体３２が備える挿通孔３３は、使用される給水管の外径よりも大径な適宜の内径が付与されて形成されており、該挿通孔３３に配設されるブラシ部３７は、給水管を挿通させる際にその外周面に摺接する長さの植毛部３９を備えて形成されている。
【００２８】
また、ブラシ部４５は、ガイド溝孔４３にあって対向する位置関係にある各内側面４４に沿わせて各別に配設された合成樹脂材などからなる基台部４６と、該基台部４６の表出面側から適宜長さで直立させた比較的剛性に富む素材からなる多数本の植毛部４７とで形成されている。
【００２９】
この場合、蓋本体３２が備えるガイド溝孔４３は、その溝孔幅が給水管の外径寸法よりもやや長寸となるようにして形成されており、該ガイド溝孔４３に配設される各ブラシ部４５は、給水管を挿通させる際にその外周面に摺接する長さの植毛部４７を備えて形成されている。
【００３０】
次に、本発明の作用・効果を図１に示す例に基づいて説明すれば、清掃作業に先立ち、まず、開口部であるマンホールに施蓋されているマンホール蓋を取り外す。しかる後、作業者は、蓋本体１２が備える把手２８，２８を両手で把持して開口部（マンホール）へと運び、仮蓋体１１として施蓋することになる。なお、清掃作業を終えた後の仮蓋体１１の撤去も把手２８，２８を介して容易に行うことができることになる。
【００３１】
すなわち、開口部（マンホール）内には、先端側にノズル等の洗浄構造を備えた給水管が下水管路に向けてまず導入され、しかる後、ガイド溝孔２３を介して挿通孔１３側へと給水管を導き入れて位置させた上で、仮蓋体１１として施蓋する。開口部（マンホール）に確実に施蓋した後は、給水管を介して埋設管きょである下水管路内へと高圧洗浄水を送り込んでその先端側がら高圧噴射することで、必要な清掃作業を行う。
【００３２】
このとき、開口部（マンホール）は、仮蓋体１１で施蓋されているので、作業者や通行人が開口部から落下する危険性をなくすことができる。しかも、清掃作業時には、開口部（マンホール）を仮蓋体１１で施蓋した状態で高圧噴射清掃が行われるので、汚水飛沫が開口部から飛び出すといった迷惑を通行人にかけることなく清掃作業を円滑に遂行することができる。
【００３３】
しかも、清掃作業を終えた後は、挿通孔１３のブラシ部１７の植毛部１９と、ガイド溝孔２３のブラシ部２５の植毛部２７とに給水管を摺接させながらこれを引き出すことができるので、給水ホースの外周面に付着している汚物等の汚れを掻き落としながら回収することができる。
【００３４】
また、蓋本体１２は、通気孔２９を有する透明な円形強化プラスチックで形成されているので、内部換気を確実なものとしつつ、下水管路の内部状況を目視確認しながら円滑に清掃作業を遂行することができる。
【００３５】
なお、図２に示す例についての作用・効果も図１に示す例とほぼ同様なので、背の説明は省略する。
【００３６】
以上は、本発明を図示例に基づいて説明したものであり、その技術的範囲はこれに限定されるものではない。例えば、蓋本体は、強化プラスチック以外の不透明な軽金属材を用いて形成することもできる。また、ブラシ部は、基台部を介在させることなく直接に植毛部を形成するものであってもよい。さらに、挿通孔は、ガイド溝孔の溝幅よりもその内径を大きくして形成されているものが示されているが、同一寸法であってもよい。さらにまた、給水管がその先端部側と同径に形成されているものであれば、仮蓋体は、蓋本体にガイド溝孔を設けずに、給水管の先端部側を挿通７できるブラシ部付きの挿通孔のみを設けたものであってもよい。
【図面の簡単な説明】
【００３７】
【図１】本発明の一例を示す全体斜視図。
【図２】本発明の他例を示す全体斜視図。
【符号の説明】
【００３８】
１１  仮蓋体
１２，３２  蓋本体
１３，３３  挿通孔
１４，３４  内周面
１５，３５  周端面
１７，３７  ブラシ部
１８，３８  基台部
１９，３９  植毛部
２３，４３  ガイド溝孔
２４，４４  内側面
２５，４５  ブラシ部
２６，４６  基台部
２７，４７  植毛部
２８，４８  把手
２９  通気孔
【図１】
2006045963.tif 000003
【図２】
2006045963.tif 000004